(57)【要約】      （修正有）【課題】表示パネルを確実に挟持し、支柱部を安全に固定でき、安価で丈夫な表示パネル支持構造を提供する。【解決手段】表示パネル支持構造は、支柱部と、支柱部の上端側に交差して設置された表示パネルを挟持するパネル取付部と、支柱部の下端に設けられ、取り付け対象に直接載置して固定する固定部とを備え、表示パネルをパネル取付部に挟持させて固定し、脚や台上に固定部を取り付ける。【選択図】図１
0003175878.tif 000002
【実用新案登録請求の範囲】
【請求項１】
支柱部と、
前記支柱部の上端側に交差して設置された表示パネルを挟持するパネル取付部と、
前記支柱部の下端に設けられ取り付け対象に直接載置して固定する固定部とを備え、
前記表示パネルを前記パネル取付部に挟持させて固定し、脚や台上に前記固定部を取り付けることを特徴とする表示パネル支持構造。
【請求項２】
前記支柱部の任意の個所に表示物を保持するための中間取付部を設けることを特徴とする請求項１に記載の表示パネル支持構造。
【請求項３】
前記パネル取付部は９０度ずつずらして４方向に取り付けられることを特徴とする請求項１に記載の表示パネル支持構造。
【考案の詳細な説明】
【技術分野】
【０００１】
本考案は、ＰＯＰ広告や標識等の表示パネルを支持する表示パネル支持構造に関する。
【背景技術】
【０００２】
特許文献１には、壁や天井等の固定部から４つの表示体を吊り下げて掲示する表示体の掲示装置が示されている。
【０００３】
この表示体の掲示装置１は、表示体を吊り下げる支持部材２０と、固定部に掛けるための第１連結部材１１と、支持部材を挟んで保持する第２連結部１２とを備え、吊り部材２０１によって壁や天井等の固定部に吊り下げられる。支持部材は、第１線状部材２１と第２線状部材２２とから成り、各々の支持部材の両端部には表示体１００を吊り下げるための略Ｃ字型のフック２３が設けられる。表示体は、第１線状部材の一端部のフックと第２線状部材の一端部のフックに対して、吊り糸２４を用いて取り付けられ、必要に応じて複数の表示体を同時に吊り下げて掲示する（特許文献１、図１参照）。
【０００４】
特許文献２には、既設のターンキャップを利用して複数のバナーを単一の機構に具設したバナーの支持構造が示されている。
【０００５】
このバナーの支持構造は、ターンキャップのスリーブが織旗ポールの最上端に挿設されている織旗広告体のバナー支持構造であって、ポールキャップハブ（上用）４と、ポールキャップハブ（下用）５と、まくれストッパー９とを備え、ポールキャップハブ（上用）を既設のターンキャップ６に装着し、ポールキャップハブ（下用）を織旗ポールの最下部より挿入し、まくれストッパーをポールキャップハブ（下用）上面に装挿して用いる。ポールキャップハブ（上用）及びポールキャップハブ（下用）には、バナー棒７１ａ、７１ｂが４方向にそれぞれ取り付けられ、バナー８を支持する（特許文献２、図１参照）。
【先行技術文献】
【特許文献】
【０００６】
【特許文献１】特開２００７−１２１６３４号公報
【特許文献２】実用新案登録第３１７１１６６号公報
【考案の概要】
【考案が解決しようとする課題】
【０００７】
しかしながら、上述した広告や標識等の表示体の掲示装置やバナーの支持構造では、以下のような問題点がある。
【０００８】
天井等の固定物から吊り下げる掲示装置の場合には、天井周辺に広告などの表示体を装飾するときは良いが、表示体により照明の光が遮られることも多い。そのため、取付個所は非常に制限される問題点がある。
【０００９】
また、表示体としてプラスチック等の素材の表示パネルを用いる場合には、少なくとも吊り部材や支持部材は複数枚の表示パネルの重量に耐え得る強度が必要となる。そのため、生産コストを抑えられない問題点がある。
【００１０】
更に、通行人から視認し易く装飾する方法として、屋内あるいは屋外の通路上に表示パネルを設置する場合も考えられる。しかし、通路上の天井や壁等がない空間では吊り下げられず、装飾自体が不可能である。また、天井等がある空間でも表示パネルを通路近くに設置するためには天井から長く吊り下げる必要があり、景観を損なう問題点もある。
【００１１】
一方、織旗広告体のバナー支持構造の場合には、通行人の視線に合わせた高さに広告等を設置するときには良いが、空間の上方に設置するには支柱を長く伸ばす必要がある。そのため安全性が要求され、丈夫な支柱を用いればコストは高くなる問題点がある。また、長く伸びた支柱は通行人に繁雑な印象を与える問題点もある。
【００１２】
そして、市場からは、安価で丈夫な表示パネル支持構造の提供が求められている。
【課題を解決するための手段】
【００１３】
本考案では、上述した問題点に鑑みて為されたものであり、支柱部と、前記支柱部の上端側に交差して設置された表示パネルを挟持するパネル取付部と、前記支柱部の下端に設けられ、取り付け対象に直接載置して固定する固定部とを備え、前記表示パネルを前記パネル取付部に挟持させて固定し、脚や台上に前記固定部を取り付けることで解決するものである。
【００１４】
また、前記支柱部の任意の個所に表示物を保持するための中間取付部を設けることを特徴とするものである。
【００１５】
更に、前記パネル取付部は９０度ずつずらして４方向に取り付けられることを特徴とするものである。
【考案の効果】
【００１６】
本考案によれば、支柱部の上端側に交差して設けたパネル取付部と、支柱部の下端に設けた固定部とを備えた表示パネル支持構造により、表示パネルを確実に挟持し、支柱部を取り付け個所に安全に固定できる。これにより、少ない部品であっても安価で丈夫な表示パネル支持構造の提供を実現できる。
【００１７】
また、各パネル取付部は支柱部の上端側に交差して設置できる。これにより、パネル取付部を９０度ずつずらして４方向に取り付ける場合には、４枚の表示パネルを用いて３６０度どの方向からも見えて演出ができる。通行人は、対峙する面の表示パネルの内容を視認し、情報を得ることができる。また、取り付け個所の省スペース化といった効果もある。
【００１８】
更に、支柱部の下端の固定部は、脚や台などに直接取り付けられる。これにより、脚や台などに表示パネル支持構造を簡単に固定できる。すなわち、目的や用途に応じて取り付け個所を自由に選択できる。
【００１９】
更に、中間取付部は支柱部の任意の位置に取り付け可能である。これにより、支柱部の上端側に限定されることなく他の表示物も装飾できる。既に設置されている表示パネル支持構造に取り付ければ良いので、設置個所の省スペース化に繋がる。
【００２０】
更に、支柱部の長さは最適値に寸法を選択できる。
【図面の簡単な説明】
【００２１】
【図１】本考案の表示パネル支持構造を説明する斜視図である。
【図２】本考案の固定部を（Ａ）脚に取り付けた場合を説明する斜視図、（Ｂ）棚や台などに取り付けた場合を説明する斜視図である。
【図３】（Ａ）（Ｂ）は、本考案の表示パネル支持構造を用いた装飾例を説明する斜視図である。
【図４】（Ａ）（Ｂ）は本考案の中間取付部の一の実施形態を説明する斜視図、（Ｃ）はそれを用いた装飾例を説明する斜視図である。
【図５】（Ａ）（Ｂ）は本考案の中間取付部の他の実施形態を説明する斜視図、（Ｃ）はそれを用いた装飾例を説明する斜視図である。
【考案を実施するための形態】
【００２２】
図１に本考案の表示パネル支持構造を説明する斜視図を示す。
【００２３】
表示パネル支持構造１は、支柱部２、パネル取付部３、固定部４とから構成される。
【００２４】
支柱部２は、鉄やアルミニウムなどの金属あるいはプラスチック等からなり、円形や多角形の筒状に形成される。支柱部の太さは、少なくとも４枚の表示パネルの重さに耐え得る強度に形成されていれば良い。また、支柱部の長さは、表示パネルの大きさや取り付け個所や用途に応じて最適値が選択される。具体的には、支柱部は２本のポールを用いたジョイント構造であり、パネル取付部３近傍にジョイント個所（図示せず）を有する。短く利用する場合（図２（Ａ）参照）は１本のポールとし、長く利用する場合（図２（Ｂ）参照）は２本のポールをジョイントすれば良い。
【００２５】
パネル取付部３は、支柱部２の上端側に交差して設置され、９０度ずつずらして４方向に取り付けられる。各パネル取付部３は、２枚のパネル挟持板３ａから成り、後述の表示パネル５の厚さ程度に離間して設けられる。パネル挟持板３ａは金属あるいはプラスチック等からなる。透明のプラスチックで形成した場合には、表示パネルを透過して表示できる。
【００２６】
具体的には、パネル挟持板３ａは四角形状に形成され、表示パネル５を固定するためのパネル用ビス止め穴３ｂが２か所に設けられる。パネル挟持板３ａと表示パネル５の接触面積に比例して安定性は増す。従って、四角形状に限られず、かまぼこ形状などでもよい。
【００２７】
なお、パネル取付部は３〜４方向に取り付ける場合が適しており、各表示パネルが部分的に重なることなく３６０度どの方向からも見えて演出できる。
【００２８】
固定部４は、支柱部２の下端に設けられ、脚や台や棚などに直接取り付けられる。
【００２９】
具体的には、支柱部２の下端に支柱部２より大きな四角形状の固定部４が溶接などで設けられる。なお、固定部の形状は取り付け対象に確実に固定できれば円状や三角形状などでも良い。固定部４には脚や台などに固定するための固定用ビス止め穴４ａが４か所に設けられる。
【００３０】
表示パネル５（図示せず）は、案内標識や広告等、あるいは装飾などに用いるものである。発泡パネルや、アルミ複合版パネル、アクリルパネル等を用い、円や多角形や波型など様々な形状に、任意の厚さで形成される。表示パネルも最適な大きさに選択できる。表示パネル５は、パネル挟持板３ａ間に挟持され、ビスとナットで確実に固定される。
【００３１】
続いて、図２を用いて本考案の表示パネル支持構造の取り付け態様を説明する。図２（Ａ）は固定部を脚に取り付けた場合を説明する斜視図であり、図２（Ｂ）は固定部を棚や台などに取り付けた場合を説明する斜視図である。
【００３２】
図２（Ａ）に示すように、固定部４は十字形状の脚に取り付けることができる。具体的には、表示パネル支持構造１は、支柱部２の直径が２８ｍｍであり、支柱部２の長さが９２０ｍｍであり、パネル取付部３のパネル挟持板３ａが５０ｍｍ×１２０ｍｍの四角形状でパネル挟持板３ａの離間幅は８ｍｍであり、固定部４が６０ｍｍ×６０ｍｍの四角形状に形成される。十字形状の脚２０は全長が５８０ｍｍであり、中央部分で交差する。表示パネル支持構造１は十字形状の脚２０の中央部分にその固定部４を当接し、固定用ビス止め穴４ａにビス（図示せず）止めをして取り付ける。
【００３３】
なお、十字形状の脚に限らず、Ｈ型形状や円形状の脚にも取り付けることができる。
【００３４】
通路上に表示パネルを設置する場合には、表示パネル支持構造１を移動させ易いので、このような取り付け態様が適する。
【００３５】
図２（Ｂ）に示すように、固定部４は棚や台などに直接取り付けることができる。具体的には、表示パネル支持構造１は、支柱部２の直径が２８ｍｍであり、支柱部２の長さが１５２０ｍｍであり、パネル取付部３のパネル挟持板３ａが５０ｍｍ×１２０ｍｍの四角形状でパネル挟持板３ａの離間幅は８ｍｍであり、固定部４が３５ｍｍ×７０ｍｍの四角形状に形成される。表示パネル支持構造１は棚や台２１上に固定部４を直接載置し、固定用ビス止め穴４ａにビス（図示せず）止めをして取り付ける。
【００３６】
空間の上方に表示パネルを設置する場合には、このように棚や台などに固定する態様のほうが安定し、表示パネル支持構造１の落下の心配がないため適する。
【００３７】
次に、図３を用いて本考案の表示パネル支持構造を用いた第１の装飾例を説明する。図３（Ａ）は通路上に表示パネル支持構造を設置して装飾する場合を説明する斜視図であり、図３（Ｂ）は台上に表示パネル支持構造を設置して装飾する場合を説明する斜視図である。なお、ここではパチンコホールに装飾する使用態様を示す。
【００３８】
図３（Ａ）に示すように、パチンコホールの交差する通路２２上に、脚２０に取り付けた表示パネル支持構造１を設置する。４枚の表示パネル５ａ、５ｂ、５ｃ、５ｄが９０度ずつ４方向に取り付けられるので、３６０度どの方向からも見える演出ができる。これにより、対峙する通行人Ｐからは、パチンココーナは図中左側に、スロットコーナは図中右側に、休憩コーナは図中手前に、景品コーナは図中奥にそれぞれ設置されていることが容易に視認できる。
【００３９】
図３（Ｂ）に示すように、島状に設置されたパチンコ台２３などの上方に取り付けて装飾する場合には、島上の設置台２１に直接固定部４をビス等で取り付けて表示パネル支持構造１を固定する。前述と同様に、表示パネル５ａ、５ｂ、５ｃ、５ｄが９０度ずつ４方向に取り付けられるので、３６０度どの方向からも見えて演出できる。島上に設置することにより、遠く離れた人からも、どこが１円パチンコ台の島で、どこが４円パチンコ台の島かを簡単に視認できる。
【００４０】
なお、支柱部２は２本のポールを用いたジョイント構造であり、支柱部２の長さは最適値を選択する。ここでは、遠くからも視認し易いように最も長くした。
【００４１】
次に、図４及び図５を用いて本考案の表示パネル支持構造に中間取付部を取り付けた装飾例を説明する。
【００４２】
図４は、本考案の表示パネル支持構造に中間取付部を取り付けた第２の装飾例を説明するものである。図４（Ａ）および（Ｂ）は表示パネル支持構造に取り付け可能な中間取付部の一の実施形態を説明する斜視図であり、図４（Ｃ）はそれを用いて装飾する場合を説明する斜視図である。なお、ここでも同様にパチンコホールに装飾する使用態様を示す。
【００４３】
図４（Ａ）に示すように、中間取付部６は、中間取付用支柱部７ａ、中間取付用挟持部８とから構成される。
【００４４】
中間取付部６は、図１に示した表示パネル支持構造１の支柱部２の任意の位置に取り付けて使用する表示物１５を保持するものである。表示物１５には、発泡パネルやアクリルパネル等から成る表示パネルや、装飾用織物のタペストリーなどが用いられる。これにより、支柱部２の上端側以外にも装飾が可能となる。なお、中間取付部６の取り付けの要否は選択する。
【００４５】
中間取付用支柱部７ａは、鉄やアルミニウムなどの金属から成り、支柱部２の直径よりも大きく形成される。その支柱の形状は、取り付け対象の支柱部２に応じて円形や多角形の筒状に形成される。図４（Ａ）に示す中間取付用支柱部７ａの場合は、支柱部２のジョイント部分より嵌入し、固定部品（図示せず）で固定する。これにより支柱部２の任意の位置に中間取付部６を設置できる。
【００４６】
なお、図４（Ｂ）に示すように、中間取付用支柱部の形状は、筒状の一部が開口された形状であってもよい。この場合には、中間取付用支柱部７ｂはプラスチックで形成される。支柱部２の任意の位置に中間取付部６を設置する場合は、中間取付用支柱部７ｂの開口部分を支柱部２の長さ方向に対して垂直に嵌め込み、固定部品（図示せず）で固定する。
【００４７】
中間取付用挟持部８は、中間取付用支柱部７ａ、７ｂに交差して設置される。各中間取付用挟持部８は２枚の中間取付用パネル挟持板８ａから成り、前述のパネル取付部３と同様に、表示パネル５の厚さ程度に離間して設ける。具体的には、中間用パネル挟持板８ａは金属あるいはプラスチック等で四角形状に形成され、表示パネル５を固定するためのパネル用ビス止め穴８ｂが任意の個所に形成される。なお、ここでは中間取付用挟持部８が１８０度ずつずらして２方向に取り付ける場合を図示しているが、取付個数は適宜選択できる。また、中間用パネル挟持板８ａの形状はかまぼこ形状でもよく、透明のプラスチックで形成されてもよい。
【００４８】
図４（Ｃ）に示すように、島状に設置されたパチンコ台などの島上を装飾する場合は、島上の設置台２１に表示パネル支持構造１を固定する。そして、支柱部２の任意の位置に中間取付部６を取り付けて固定し、表示物１５で装飾する。具体的には、中間取付用挟持部８に波型の装飾パネル１５を挟持させ、ビス（図示せず）などで固定する。
【００４９】
図５は、本考案の表示パネル支持構造に中間取付部を取り付けた第３の装飾例を説明するものである。図５（Ａ）および（Ｂ）は表示パネル支持構造に取り付け可能な中間取付部の他の実施形態を説明する斜視図であり、図５（Ｃ）はそれを用いて装飾する場合を説明する斜視図である。なお、ここでも同様にパチンコホールに装飾する使用態様を示す。
【００５０】
図５（Ａ）に示すように、中間取付部１６は、中間取付用支柱部１７ａ、中間取付用ハンガー１９とから構成される。
【００５１】
中間取付部１６は、前述のように、表示パネル支持構造１の支柱部２の任意の位置に取り付けて使用する表示物１５を保持するものである。
【００５２】
中間取付用支柱部１７ａは、前述のように、金属を用いて円形や多角形の筒状に形成される。図５（Ａ）に示す中間取付用支柱部１７ａの場合は、支柱部２のジョイント部分より嵌入し、任意の位置で固定部品（図示せず）で固定される。
【００５３】
なお、図５（Ｂ）に示すように、プラスチックで形成され、中間取付用支柱部１７ｂの筒状の一部が開口された形状であってもよい。支柱部２の任意の位置に中間取付部１６を設置する場合は、中間取付用支柱部１７ｂの開口部分を支柱部２の長さ方向に対して垂直に嵌め込み、固定部品（図示せず）で固定する。
【００５４】
中間取付用ハンガー１９は、表示物１５を保持するポール部１９ａと、その先端に設けられ表示物１５の落下を防止する球１９ｂとから構成される。中間取付用ハンガー１９は、中間取付用支柱部１７ａ、１７ｂに交差して設置される。具体的には、中間取付用ハンガー１９は金属あるいはプラスチック等で形成され、１８０度ずつずらして２方向に取り付けられる。なお、取付本数は適宜選択できる。また、ポール１９ａの長さは、表示物１５の大きさに応じて最適値が選択される。
【００５５】
図５（Ｃ）に示すように、島状に設置されたパチンコ台などの島上を装飾する場合は、島上の設置台２１に表示パネル支持構造１を固定する。そして、支柱部２の任意の位置に中間取付部１６を取り付けて固定し、表示物１５で装飾する。具体的には、中間取付用ハンガー１９のポール部１９ａにベース型のタペストリー１５を通し、球１９ｂを付けてタペストリーの落下を防止する。
【００５６】
以上のとおり、本考案の表示パネル支持構造によりその設置個所の省スペース化を実現し、かつ華やかに装飾することを可能とした。
【符号の説明】
【００５７】
１      表示パネル支持構造
２      支柱部
３      パネル取付部
３ａ    パネル挟持板
３ｂ    パネル用ビス止め穴
４      固定部
４ａ    固定用ビス止め穴
５      表示パネル
６      中間取付部
７      中間取付用支柱部
８      中間取付用挟持部
８ａ    中間取付用パネル挟持板
８ｂ    パネル用ビス止め穴
１５      表示物
１６      中間取付部
１７      中間取付用支柱部
１９      中間取付用ハンガー
１９ａ    ポール部
１９ｂ    球
２０      脚
２１      台
２２      通路
【図１】
0003175878.tif 000003
【図２】
0003175878.tif 000004
【図３】
0003175878.tif 000005
【図４】
0003175878.tif 000006
【図５】
0003175878.tif 000007